(57)【要約】【課題】リアルタイムに必要な情報を取得することができるようにした移動体通信システムを提供することを目的としている。【解決手段】特定のサービスについて、提供情報のデータ量が所定量を超えるたびに、移動体通信端末ＴＭは、電子メールを介して差分データのデータファイルを受け取るので、移動体通信端末ＴＭのユーザは、特定サービスの最新の情報をほぼリアルタイムに取得することができ、非常に便利であるという効果を得る。【選択図】        図１
2005332418.tif 000002
【特許請求の範囲】
【請求項１】
移動体通信端末に対して、指定されたサービスプログラムおよびデータファイルを配布するデータ配布サービスを提供するサーバー手段を備えた移動体通信システムにおいて、
移動体通信端末は、受信希望するデータファイルを上記サーバー手段に登録し、
上記サーバー手段は、上記登録された受信希望するデータファイルの内容が更新されると、その更新内容をあらわす更新内容データファイルを作成し、その更新内容データファイルを上記移動体通信端末に送信し、
上記移動体通信端末は、上記サーバー手段より上記更新内容データファイルを受信すると、その受信した更新内容データファイルの内容に対応した特定のアプリケーションを起動し、その起動したアプリケーションに対して上記更新内容データファイルを引き渡し、更新内容データファイルの処理を行わせるようにしたことを特徴とする移動体通信システム。
【請求項２】
前記更新内容データファイルの内容は、電子メールを用いて送信されることを特徴とする請求項１記載の移動体通信システム。
【請求項３】
前記更新内容データファイルの内容を運ぶ電子メールは、最新のもの以外が、前記移動体通信端末から削除されることを特徴とする請求項２記載の移動体通信システム。
【請求項４】
移動体通信端末に対して、指定されたサービスプログラムおよびデータファイルを配布するデータ配布サービスを提供するサーバー手段を備えた移動体通信システムにおいて、
移動体通信端末は、受信希望するデータファイルと、受信する最低データ量を上記サーバー手段に登録し、
上記サーバー手段は、上記登録された受信希望するデータファイルの内容が更新され、かつ、その更新内容のデータ量が上記最低データ量を超えた場合には、その更新内容をあらわす更新内容データファイルを作成し、その更新内容データファイルを上記移動体通信端末に送信し、
上記移動体通信端末は、上記サーバー手段より上記更新内容データファイルを受信すると、その受信した更新内容データファイルの内容に対応した特定のアプリケーションを起動し、その起動したアプリケーションに対して上記更新内容データファイルを引き渡し、更新内容データファイルの処理を行わせるようにしたことを特徴とする移動体通信システム。
【請求項５】
前記更新内容データファイルの内容は、電子メールを用いて送信されることを特徴とする請求項４記載の移動体通信システム。
【請求項６】
前記更新内容データファイルの内容を運ぶ電子メールは、最新のもの以外が、前記移動体通信端末から削除されることを特徴とする請求項５記載の移動体通信システム。
【発明の詳細な説明】
【技術分野】
【０００１】
本発明は、移動体通信端末に対して、指定されたサービスプログラムおよびデータファイルを配布するデータ配布サービスを提供するサーバー手段を備えた移動体通信システムに関する。
【背景技術】
【０００２】
近年、例えば、ＮＴＴドコモ社では、自社の移動体通信網に接続される移動体通信端末に対して、ｉモードサービスを提供している。このｉモードサービスは、移動体通信網に設けたドコモｉモードセンターを用いて、移動体通信端末と、ｉモードサービスのコンテンツを提供する各サーバとの情報をやりとりし、インターネットにおけるＷＷＷサービスと同等なサービスを提供するようにしたものである。
【０００３】
このようなｉモードサービスのコンテンツの１つとして、毎日新聞社によるｉモード向け将棋情報サイトがある。この将棋情報サイトでは、棋譜を表示するための特定のアプリケーションプログラムを用い、ユーザが当該将棋情報サイトへアクセスして、棋譜データをダウンロードし、アプリケーションプログラムで表示させることで、例えば、名人戦や王将戦を移動体通信端末の画面で表示させることができる。
【特許文献１】特開２０００−３４７８６７号公報
【発明の開示】
【発明が解決しようとする課題】
【０００４】
しかしながら、このような従来の情報の提供方法では、ユーザが将棋情報サイトへアクセスしなければならないのが面倒だったり、あるいは、アクセスしても局面が変わっていない場合、その行為は徒労に終わるという不具合を生じていた。
【０００５】
本発明は、かかる実情に鑑みてなされたものであり、リアルタイムに必要な情報を取得することができるようにした移動体通信システムを提供することを目的としている。
【課題を解決するための手段】
【０００６】
本発明は、移動体通信端末に対して、指定されたサービスプログラムおよびデータファイルを配布するデータ配布サービスを提供するサーバー手段を備えた移動体通信システムにおいて、移動体通信端末は、受信希望するデータファイルを上記サーバー手段に登録し、上記サーバー手段は、上記登録された受信希望するデータファイルの内容が更新されると、その更新内容をあらわす更新内容データファイルを作成し、その更新内容データファイルを上記移動体通信端末に送信し、上記移動体通信端末は、上記サーバー手段より上記更新内容データファイルを受信すると、その受信した更新内容データファイルの内容に対応した特定のアプリケーションを起動し、その起動したアプリケーションに対して上記更新内容データファイルを引き渡し、更新内容データファイルの処理を行わせるようにしたものである。
【０００７】
また、移動体通信端末に対して、指定されたサービスプログラムおよびデータファイルを配布するデータ配布サービスを提供するサーバー手段を備えた移動体通信システムにおいて、移動体通信端末は、受信希望するデータファイルと、受信する最低データ量を上記サーバー手段に登録し、上記サーバー手段は、上記登録された受信希望するデータファイルの内容が更新され、かつ、その更新内容のデータ量が上記最低データ量を超えた場合には、その更新内容をあらわす更新内容データファイルを作成し、その更新内容データファイルを上記移動体通信端末に送信し、上記移動体通信端末は、上記サーバー手段より上記更新内容データファイルを受信すると、その受信した更新内容データファイルの内容に対応した特定のアプリケーションを起動し、その起動したアプリケーションに対して上記更新内容データファイルを引き渡し、更新内容データファイルの処理を行わせるようにしたものである。
【０００８】
また、前記更新内容データファイルの内容は、電子メールを用いて送信される。また、前記更新内容データファイルの内容を運ぶ電子メールは、最新のもの以外が、前記移動体通信端末から削除される。
【発明の効果】
【０００９】
したがって、本発明によれば、特定のサービスについて、提供情報のデータ量が所定量を超えるたびに、移動体通信端末ＴＭは、電子メールを介して差分データのデータファイルを受け取るので、移動体通信端末ＴＭのユーザは、特定サービスの最新の情報をほぼリアルタイムに取得することができ、非常に便利であるという効果を得る。
【発明を実施するための最良の形態】
【００１０】
以下、添付図面を参照しながら、本発明の実施の形態を詳細に説明する。
【００１１】
図１は、本発明の一実施例にかかる移動体通信システムを示している。
【００１２】
同図において、移動体通信端末ＴＭは、移動体通信網基地局ＢＳを介して、移動体通信網ＴＮに接続され、インターネットサービスプロバイダＩＳＰを介して、インターネットＩＮＥＴへと接続される。なお、ＮＴＴドコモ社のｉモードサービスの場合、基本的にｉモードセンターがインターネットサービスプロバイダＩＳＰの役割を果たしている。
【００１３】
また、インターネットＩＮＥＴには、電子メールをやりとりするためのメールサーバ装ＭＳや、コンテンツを提供するコンテンツ提供ＷＷＷサーバ装置ＷＳが接続されている。
【００１４】
図２は、移動体通信端末ＴＭの構成の一例を示している。
【００１５】
同図において、システム制御部１は、この移動体通信端末ＴＭの動作を制御するとともに、種々のアプリケーションの処理を実行するためのものであり、システムメモリ２は、システム制御部１が実行するプログラムを記憶するためのものであり、パラメータメモリ３は、この移動体通信端末ＴＭに固有な種々の情報を記憶するためのものである。また、コンテンツ提供ＷＷＷサーバ装置ＷＳから受信したアプリケーションプログラムおよびアプリケーション対応データファイルは、パラメータメモリ３に保存される。
【００１６】
キャラクタジェネレータ４は、種々の図形文字を表示するためのフォントセットのパターンデータを出力するためのものであり、時計回路５は、現在時刻情報等を出力するためのものである。
【００１７】
無線通信部６は、移動体通信網基地局ＢＳとの間で無線通信を行うためのものであり、通信制御部７は、移動体通信網基地局ＢＳとの間で無線通信を行う際の無線通信プロトコル（音声ＣＯＤＥＣを含む）、電子メールの送受信プロトコル、および、ＨＴＴＰプロトコル等の種々の通信制御を行うためのものであり、通話ユニット８は、マイクおよびスピーカ等、通話のためのものである。
【００１８】
液晶表示器９は、種々の情報を表示するためのものであり、表示制御部１０は、液晶表示器９に表示する内容を制御するためのものであり、キーボード部１１は、種々の情報を操作入力するためのものであり、入力制御部１２は、キーボード部１１の操作データを取り込むためのものである。
【００１９】
これらのシステム制御部１、システムメモリ２、パラメータメモリ３、キャラクタジェネレータ４、時計回路５、無線通信部６、通信制御部７、通話ユニット８、表示制御部１０、および、入力制御部１２は、内部バス１３に接続されており、これらの各要素間のデータのやりとりは、主としてこの内部バス１３を介して行われている。
【００２０】
なお、通信制御部７と通話ユニット８との間のデータのやりとりは、直接行われている。
【００２１】
以上の構成で移動体通信端末ＴＭのユーザは、移動体通信網ＴＮに接続している状態で、ＷＷＷブラウザを起動して、コンテンツ提供ＷＷＷサーバ装置ＷＳに接続する。
【００２２】
これにより、コンテンツ提供ＷＷＷサーバ装置ＷＳは、移動体通信端末ＴＭに対して、提供可能なコンテンツの一覧を表示し、いずれかのコンテンツを選択させるとともに、選択されたコンテンツを処理するために必要なアプリケーションプログラムのダウンロード画面を表示する。
【００２３】
したがって、移動体通信端末ＴＭのユーザは、ＷＷＷブラウザを操作して、所望のコンテンツを選択し、次いで、アプリケーションプログラムのダウンロードを指示する。
【００２４】
これにより、コンテンツ提供ＷＷＷサーバ装置ＷＳから、アプリケーションプログラムが、所定の通信プロトコルを用いて転送されるので、移動体通信端末ＴＭは、それを受信し、その受信が完了すると、受信したアプリケーションプログラムを自端末にインストールする。
【００２５】
次に、移動体通信端末ＴＭのユーザは、新たにインストールされたアプリケーションプログラムを実行し、自端末の電子メールアドレスと、転送基準データ量を設定する。
【００２６】
これにより、アプリケーションプログラムは、設定された電子メールアドレスと転送基準データ量を、コンテンツ提供ＷＷＷサーバ装置ＷＳへ送信する。
【００２７】
それによって、コンテンツ提供ＷＷＷサーバ装置ＷＳは、そのときに受信した電子メールアドレスと転送基準データ量を登録する。
【００２８】
次いで、移動体通信端末ＴＭのユーザは、アプリケーションプログラムで選択できる所望のサービスを選択し、アプリケーションプログラムは、その選択結果をコンテンツ提供ＷＷＷサーバ装置ＷＳへ送信する。
【００２９】
これ以降、コンテンツ提供ＷＷＷサーバ装置ＷＳは、提供サービスに対応したアプリケーションデータファイルの更新を監視し、その更新が行われると、当該アプリケーションデータファイルに登録されたユーザがあるかどうかを調べ、登録ユーザがある場合には、そのユーザに対して送信完了しているデータ量を調べ、データ差分を算出する。
【００３０】
そして、その算出したデータ差分のデータ量が、当該ユーザに登録されている転送基準データ量以上になっているかどうかを調べ、算出したデータ差分のデータ量が、当該ユーザに登録されている転送基準データ量以上になっている場合には、当該ユーザに登録されている電子メールアドレスを取り出し、上記データ差分に相当するデータファイルを作成し、その作成したデータファイルを運ぶ電子メールを、取り出した電子メールアドレスへ送信する電子メールを作成して、メールサーバ装置ＭＳへ送信する。なお、その電子メールには、当該電子メールで運ばれるデータが、アプリケーションデータファイルである旨を通知する情報が含まれる。
【００３１】
これにより、移動体通信端末ＴＭは、コンテンツ提供ＷＷＷサーバ装置ＷＳに登録したサービスについて、データの更新が、転送基準データ量以上あった場合には、当該更新データを運ぶ電子メールを受信する。
【００３２】
したがって、移動体通信端末ＴＭは、電子メールを受信すると、その内容を調べて、アプリケーションデータファイルであるかどうかを調べ、アプリケーションデータファイルであった場合には、対応するアプリケーションプログラムを起動し、受信した電子メールの本文情報から抽出したアプリケーションデータファイル（差分データ）を、起動したアプリケーションプログラムへ受け渡す。
【００３３】
それにより、アプリケーションプログラムは、更新後の最新の内容を表示する。また、その後、電子メールを削除して、パラメータメモリ３のデータ領域を不当に圧迫するような事態を回避する。
【００３４】
したがって、このアプリケーションプログラムが、例えば、将棋の棋譜を表示するものである場合、移動体通信端末ＴＭには、棋譜データが更新され、その更新データ量が一定値以上になるたびに、電子メールを介して差分データのデータファイルを受け取るので、移動体通信端末ＴＭのユーザは、最新の将棋の棋譜を、ほぼリアルタイムに取得することができ、非常に便利である。
【００３５】
また、電子メールを介して運ばれた差分データが、アプリケーションプログラムに受け渡された後には、当該電子メールが削除されるので、移動体通信端末ＴＭの少ないデータ容量を不当に圧迫するような事態を回避することができる。この場合、アプリケーションプログラムには、アプリケーションデータファイルが全て受け渡されている状態であるので、そのアプリケーションプログラムのデータ管理により、過去の履歴の参照を適宜に行うことができる。
【００３６】
図３は、特定アプリケーションについて、移動体通信端末ＴＭが実行する処理の一例を示している。
【００３７】
まず、移動体通信端末ＴＭのユーザは、移動体通信網ＴＮに接続している状態で、ＷＷＷブラウザを起動して（処理１０１）、コンテンツ提供ＷＷＷサーバ装置ＷＳに接続する（処理１０２）。そして、移動体通信端末ＴＭのユーザは、ＷＷＷブラウザを操作して、所望のコンテンツを選択し、次いで、アプリケーションプログラムのダウンロードを指示する。
【００３８】
これにより、コンテンツ提供ＷＷＷサーバ装置ＷＳから、アプリケーションプログラムが、所定の通信プロトコルを用いて転送されるので、移動体通信端末ＴＭは、それを受信し、その受信が完了すると、受信したアプリケーションプログラムを自端末にインストールする（処理１０３）。
【００３９】
次に、移動体通信端末ＴＭのユーザは、新たにインストールされたアプリケーションプログラムを実行し、自端末の電子メールアドレスと、転送基準データ量を設定する（処理１０４）。
【００４０】
これにより、アプリケーションプログラムは、設定された電子メールアドレスと転送基準データ量を、コンテンツ提供ＷＷＷサーバ装置ＷＳへ送信する（処理１０５）。
【００４１】
次いで、移動体通信端末ＴＭのユーザは、アプリケーションプログラムで選択できる所望のサービスを選択し、アプリケーションプログラムは、その選択結果をコンテンツ提供ＷＷＷサーバ装置ＷＳへ送信する（処理１０６）。
【００４２】
そして、電子メールを受信することを監視し（判断１０７のＮＯループ）、電子メールを受信して判断１０７の結果がＹＥＳになると、その電子メールの本文情報の内容を調べて、アプリケーションデータファイルであるかどうかを調べる（判断１０８）。受信した電子メールの本文情報の内容がアプリケーションデータファイルではなく、判断１０８の結果がＮＯになるときには、通常の電子メールの処理を行い（処理１０９）、判断１０７に戻る。
【００４３】
また、受信した電子メールの本文情報の内容がアプリケーションデータファイルであり、判断１０８の結果がＹＥＳになるときには、対応するアプリケーションプログラムを起動し（処理１００）、受信した電子メールの本文情報から抽出したアプリケーションデータファイル（差分データ）を、起動したアプリケーションプログラムへ受け渡す（処理１１１）。
【００４４】
それにより、アプリケーションプログラムは、更新後の最新の内容を表示する（処理１１２）。また、その後、電子メールを削除して、パラメータメモリ３のデータ領域を不当に圧迫するような事態を回避する。
【００４５】
そして、判断１０７へ戻り、次の電子メールの受信を監視する。
【００４６】
図４は、コンテンツ提供ＷＷＷサーバ装置ＷＳの処理の一例を示している。
【００４７】
いずれかの移動体通信端末ＴＭより接続要求を受け付けると（処理２０１）、そのときに要求されたサービス内容を判別し、サービス内容がプログラムファイルのダウンロードであるか、あるいは、種々のデータの登録であるか、それ以外であるか判断する（処理２０２、判断２０３，２０４）。
【００４８】
要求されたサービスが、プログラムファイルのダウンロードでもなく、データ登録でもない場合で、判断２０４の結果がＮＯになるときには、指定されたサービスに対応した処理を行い（処理２０５）、そのときの処理を終了する。
【００４９】
また、要求されたサービスがプログラムファイルのダウンロードであり、判断２０３の結果がＹＥＳになるときには、指定されたアプリケーションプログラムのプログラムデータを要求元へ転送して（処理２０６）、そのときの処理を終了する。
【００５０】
また、要求されたサービスが、データ登録である場合であり、判断２０４の結果がＹＥＳになるときには、所定の登録画面のデータを要求元へ転送し（処理２０７）、登録データを受信する（処理２０８）。そして、受信した登録データを自端末のデータベース（図示略）へ登録して（処理２０９）、そのときの処理を終了する。
【図面の簡単な説明】
【００５１】
【図１】本発明の一実施例にかかる移動体通信システムを示したブロック図。
【図２】移動体通信端末ＴＭの構成の一例を示したブロック図。
【図３】特定アプリケーションについて、移動体通信端末ＴＭが実行する処理の一例を示したフローチャート。
【図４】コンテンツ提供ＷＷＷサーバ装置ＷＳの処理例を示したフローチャート。
【符号の説明】
【００５２】
ＴＭ  移動体通信端末
ＷＳ  コンテンツ提供ＷＷＷサーバ装置
１  システム制御部
２  システムメモリ
３  パラメータメモリ
４  キャラクタジェネレータ
５  時計回路
６  無線通信部
７  無線制御部
８  通話ユニット
９  液晶表示器
１０  表示制御部
１１  キーボード部
１２  入力制御部
１３  内部バス
【図１】
2005332418.tif 000003
【図２】
2005332418.tif 000004
【図３】
2005332418.tif 000005
【図４】
2005332418.tif 000006